(57)【特許請求の範囲】
【請求項１】
離間して立設される複数本の支柱と、この支柱間に配されるフェンスパネルと、このフェンスパネルを上下から挟持する上枠及び下枠と、これら上枠及び下枠をそれぞれ前記支柱に固定する上取付金具及び下取付金具とを備えたフェンスであって、
前記上枠は、その長手方向全長に亘って、閉空間部と上取付溝とが前記閉空間部の一部を構成する隔壁を介して一体的に形成されるとともに前記上取付溝の下方にパネル嵌入部が形成され、
前記上取付溝には、その上下の縁部に、前記上取付金具と前記支柱との間に挟まれるとともに前記上取付金具を表裏両側から支持し得る幅の溝部を画成する折曲部がそれぞれ形成され、且つ、これら折曲部間に存する開口部に対峙する凹部が前記隔壁の一部を前記閉空間部側に膨出させることにより形成され、
このようになる上枠が、その上取付溝における前記溝部間にスライド可能に挿入された上取付金具を介して支柱に固定される際、支柱と上取付金具とを螺着するビスの先端が前記上取付溝における前記凹部内に納まるように構成されたことを特徴とするフェンス。
【請求項２】
請求項１に記載のフェンスにおいて、
フェンスパネルの上下の縁部が予め上枠と下枠にそれぞれ取り付けられていることを特徴とするフェンス。
【発明の詳細な説明】
【０００１】
【発明の属する技術分野】
本発明は、フェンスに関する。
【０００２】
【従来の技術】
従来のフェンスでは、例えば図１３（ａ），（ｂ）に示すように、支柱８０に取り付けられた下部取付具８１でフェンスパネルＣの下端部を支持するとともに、上部取付具８２でフェンスパネルＣの上端部を固定することにより、フェンスパネルを支柱に取り付けていた。
【０００３】
また、従来のフェンスパネルは、上下のパネルの胴縁とパネルとは一体となっていた。
【０００４】
【発明が解決しようとする課題】
しかし、上記した従来技術では、パネルの長さが固定長であるため、支柱間の間隔がそのパネル長と合わない場合にフェンスが取り付けられなくなり、支柱をパネル長に合わせた間隔に建て直さなければならないといったことが生じていた。
【０００５】
また、支柱間の距離がパネルの長さよりも短い場合、パネルの長さを切断することも考えられるが、従来のフェンスパネルは、上下のパネルの胴縁とパネルとは一体となっていたため切断するのが容易でなく、現場で調整をすることが困難であった。
【０００６】
そこで、本発明では、上記した従来技術における欠点を解消し、立設された支柱にフェンスパネルを取り付ける作業が容易で、施工工数も削減できるとともに、支柱間の間隔とパネルの長さとが合わない場合が生じても調整が容易なフェンスの提供を目的とする。
【０００７】
【課題を解決するための手段】
上記の目的を達成するため、本発明は、離間して立設される複数本の支柱と、この支柱間に配されるフェンスパネルと、このフェンスパネルを上下から挟持する上枠及び下枠と、これら上枠及び下枠をそれぞれ前記支柱に固定する上取付金具及び下取付金具とを備えたフェンスであって、前記上枠は、その長手方向全長に亘って、閉空間部と上取付溝とが前記閉空間部の一部を構成する隔壁を介して一体的に形成されるとともに前記上取付溝の下方にパネル嵌入部が形成され、前記上取付溝には、その上下の縁部に、前記上取付金具と前記支柱との間に挟まれるとともに前記上取付金具を表裏両側から支持し得る幅の溝部を画成する折曲部がそれぞれ形成され、且つ、これら折曲部間に存する開口部に対峙する凹部が前記隔壁の一部を前記閉空間部側に膨出させることにより形成され、このようになる上枠が、その上取付溝における前記溝部間にスライド可能に挿入された上取付金具を介して支柱に固定される際、支柱と上取付金具とを螺着するビスの先端が前記上取付溝における前記凹部内に納まるように構成されたことを特徴とする。
【０００８】
この発明によれば、上枠に挿入された上取付金具を任意の位置にスライドさせて上枠を支柱に取り付けるとともに、支柱に固定された下取付金具を下枠の任意の位置に掛止して下枠を支柱に取り付けることができる。
【００１１】
本発明は、上記構成のフェンスにおいて、フェンスパネルの上下の縁部が予め上枠と下枠にそれぞれ取り付けられていることを特徴とする。
【００１７】
【実施の形態】
以下、本発明の第１の実施の形態について図を参照して説明する。図１は，本実施の形態に係る上枠２（図１（ａ））および下枠３( 図１（ｂ））とそれぞれの取付金具４，５を示す斜視図である。図２は、上下の枠２，３を示す図、図３は、本実施の形態において、フェンスパネルＡが支柱１０に取り付けられた状態を示す図、図４は、上取付金具４，下取付金具５を示す図である。
【００１８】
本実施の形態は、複数本の支柱１０と、この支柱１０間に配されるフェンスパネルＡと、このフェンスパネルＡを上下から挟持する上枠２及び下枠３と、上枠２に形成される上取付溝２０と、下枠３に形成される下取付溝３０と、上枠２に挿入される上取付金具４と、下枠３と係合する下取付金具５とから主要部が構成されている。以下、順次上記の各構成部分について説明する。
【００１９】
本実施の形態におけるフェンスパネルＡは、例えば、鉄板・アルミニウム板などの金属板、樹脂板、複合板、木材、竹など、またはこれらのこれらの組み合わせにより形成され、フラット板、パンチング、エンボス仕上げ、ルーバー材、波形曲板などの種々のパネルである。
【００２０】
支柱１０は、地面に離間して立設され、フェンスパネルＡを支持するためのものである。この支柱１０には、後述するビス６を貫入するための貫入孔１１が形成されている。
【００２１】
上枠２は、フェンスパネルＡの上端部に取り付けられ、下枠３とともにフェンスパネルＡを挟持し、フェンスパネルＡを支柱１０に取り付けるためのものである。この上枠２には、長手方向に沿って上取付溝２０が形成されている。この上取付溝２０には、溝部２０１の上下の縁に折曲部２０２がそれぞれ形成されており、この折曲部２０２が上取付金具４と支柱１０との間に挟まれるようになされている。また、上枠２の下部には、フェンスパネルＡを嵌入するためのパネル嵌入部２１が設けられている。
【００２２】
下枠３は、フェンスパネルＡの下端部に取り付けられ、上枠２とともにフェンスパネルＡを挟持し、フェンスパネルＡを支柱１０に取り付けるためのものである。この下枠３には、長手方向に沿って下取付溝３０が形成されている。この下取付溝３０には、溝部３０１の上の縁に折曲部３０２が形成されており、この折曲部３０２が下取付金具５と掛合するようになされている。また、下枠３の上部には、フェンスパネルＡを嵌入するためのパネル嵌入部３１が設けられている。上取付金具４は、図１（ａ）および図４（ａ），（ｂ）に示すように、上取付溝２０の溝幅よりも若干小さい幅の板状体であって、上取付溝２０に挿入され、上取付溝２０に沿ってスライドするようになされている。
【００２３】
上取付金具４には、支柱１０取付側に向かって突出する位置調整用突起４０が形成されている。この位置調整用突起４０は、上取付金具４を上取付溝２０に沿ってスライドさせる場合の位置調整の便宜のために設けられるものであって、上取付溝２０に上取付金具４が挿入された後、作業者が、この位置調整用突起４０をつまんで上取付金具４の位置を調整することができるように図られている。また，上取付金具４には、ビス６と螺合するためのビス孔４１が形成されている。
【００２４】
なお、上取付金具４の幅寸法は、上取付溝２０に取り付けられた状態でビス孔４１を中心にして若干回転できる余裕があることが望ましい。かかる余裕があれば、緩やかな傾斜地でフェンスパネルを斜めに施工する場合であっても、取付金具を変更することなく、この上取付金具４を用いて施工することができるからである。
【００２５】
下取付金具５は、図１（ｂ）および図４（ｃ），（ｄ）に示すように、板状体の金具が折曲されて引っ掛け部５０となされたものであって、この引っ掛け部５０が下取付溝３０の任意の位置において折曲部３０２と掛合するように図られている。また，下取付金具５には、ビス６と螺合するためのビス孔５１が形成されている。なお、図中の符号５２は、補強リブを示している。
【００２６】
ビス６は、支柱１０の貫入孔１１に貫入されて上取付金具４および下取付金具５を支柱１０側に引き込んで螺止めするためのものである。
【００２７】
次に、本実施の形態に係るフェンスパネルＡの取り付け手順について説明する。
【００２８】
フェンスパネルＡの縁部には上枠２、下枠３、縦枠７が当接され、縦枠７の上下の端部と上枠２、下枠３の端部がビス止めなどの手段により固着されている。フェンスパネルＡのサイズを調整するときには、上枠２、下枠３、縦枠７をフェンスパネルＡからはずし、上枠２、下枠３、フェンスパネルＡの切断後、フェンスパネルＡを組み立てればよい。
【００２９】
まず、下取付金具５を支柱１０にビス６を介して取り付け、次いで、下枠３の下取付溝３０を下取付金具５の引っ掛け部５０に引っ掛ける。
【００３０】
次に、上枠２の上取付溝２０に上取付金具４を挿入する。なお、上取付金具４は予め上取付溝２０に挿入しておいてもよい。
【００３１】
上取付金具４の位置調整用突起４０をつまみながら取り付け位置を調整し、支柱１０の貫入孔１１に貫入したビス６と上取付金具４のビス孔４１に螺合させて、上枠２を支柱１０に取り付ける。
【００３２】
なお、フェンスパネルＡの縦方向の端末の目隠し処理のために、縦枠７を用いてもよい。この縦枠７は、フェンスパネルＡの縦方向と略同一長さの細幅体のカバーである（図２参照）。
【００３３】
また、フェンスパネルＡは、縦方向に複数段設けることもできる。図３（ｂ）に２段設けた例を示している。
【００３４】
次に、本発明の第２の実施の形態について図５乃至図７を参照しながら説明する。この実施の形態は、上記した実施の形態において、上取付金具４が、支柱１０と一体化されたものである。
【００３５】
図５に示す上取付金具４は、支柱１０と上取付金具４とが一体に形成されたタイプである。この上取付金具４は、板状体部４２と支持部４３とからなっており、支柱１０との間に若干の間隙が生じるように図られ、この間隙に上取付溝２０が嵌め込まれる。
【００３６】
図６に示す上取付金具４は、板状体部４２とネジ４００とが一体化されたものであって、このネジ４００が支柱１０の貫入孔１１に貫入されてナット４０１で固定されるように図られている。この場合も、ナット４０１で固定された際に、板状体部と支柱１０との間に若干の間隙が生じるようになされており、この間隙に上取付溝２０が嵌め込まれる。
【００３７】
図７に示す上取付金具４は、支柱１０上部を覆う柱キャップＥと金具が一体に形成されたものである。この上取付金具４は、板状体部４２と支持部４３とからなり、支柱１０との間に若干の間隙が生じるように図られ、この間隙に上取付溝２０が嵌め込まれる。なお、柱キャップＥの形態の相違によって、図７（ａ）及び（ｂ）に示す２つのタイプがあるが、上取付金具４自体の形状はほとんど同じである。
【００３８】
次に、本実施の形態に係るフェンスパネルＡの取り付け手順について説明する。
【００３９】
本実施の形態では、上記した第１の実施の形態と上取付金具４のみが異なっており、その他の構成は同様であるので、取り付け手順も上枠２に係る取り付けについてのみ説明する。
【００４０】
図５及び図７に示すタイプの場合は、予め支柱１０に固定された上取付金具４に上枠２の上取付溝２０を位置合わせをしながら嵌め込み、上枠２０を支柱１０に取り付ける。
【００４１】
図６に示すタイプの場合は、支柱１０に上取付金具４をネジ４００とナット４０１によって支柱に取り付ける。次いで、上取付金具４に上枠２の上取付溝２０を位置合わせをしながら嵌め込み、上枠２０を支柱１０に取り付ける。
【００４２】
次に、本発明の第３の実施の形態について図８乃至図１０を参照しながら説明する。この実施の形態は、上記した実施の形態において、メッシュ状のフェンスパネルＢを用いたものである。この実施の形態では、上枠２と下枠３には、図８に示すように、フェンスパネルＢの横桟が嵌入される横桟嵌入部２２、３２が形成されている点が上記した実施の形態と異なっている。なお、メッシュ状のフェンスパネルＢでは、端末の目隠し処理は不要であり、フェンスパネルＢ上下の横桟が上枠２と下枠３に形成された横桟嵌入部２２，３２に嵌入固着されるので、縦枠７は使用しないのが一般的である。
【００４３】
その他の構造や，使用手順については、上記した実施の形態と同様である。
【００４４】
図９は、メッシュ状のフェンスパネルＢを取り付けた状態を示す図であり、また図１０は、板状のフェンスパネルＡとメッシュ状のフェンスパネルＢとを繋ぎ合わせた例を示す図である。なお、パネル同士の接続は、隣り合う上枠２同士および下枠３同士をそれぞれの枠に嵌合するキャップＤ（図１２参照）を用いること等によって行う。
【００４５】
次に本発明の第４の実施の形態について図１１を参照しながら説明する。この実施の形態は、上記した実施の形態において、下枠３および下取付金具５は、上枠２および上取付金具４と同様のものが用いられている。また、上枠２と下枠３の支柱１０への取り付けは、上下の取付溝２０，３０に挿入された上下の取付金具４，５を上下の取付溝２０、３０に沿ってそれぞれスライドさせ、ビス６を介して支柱１０に固定することによって行うものである。
【００４６】
図１１は、本実施の形態の（ａ）上枠２と上取付金具４、および（ｂ）下枠３と下取付金具５を示す図である。これらの枠２、３と取付金具４、５は、第１の実施の形態における上枠２と上取付金具４と同様の構成であるので、詳細についての説明は省略する。
【００４７】
次に、本実施の形態に係るフェンスパネルＡの取り付け手順について説明する。
【００４８】
フェンスパネルＡの縁部には上枠２、下枠３、縦枠７が当接され、縦枠７の上下の端部と上枠２、下枠３の端部がビス止めなどの手段により固着されている。フェンスパネルＡのサイズを調整するときには、上枠２、下枠３、縦枠７をフェンスパネルＡからはずし、上枠２、下枠３、フェンスパネルＡの切断後、フェンスパネルＡを組み立てればよい。
【００４９】
まず、上枠２の上取付溝２０および下枠３の下取付溝３０に上取付金具４および下取付金具５をそれぞれ挿入する。なお、上下の取付金具４、５は予め上下の取付溝２０、３０に挿入しておいてもよい。
【００５０】
上下の取付金具４、５の位置調整用突起４０、５０をつまみながら取り付け位置をそれぞれ調整し、支柱１０の貫入孔１１に貫入したビス６を上下の取付金具４、５のビス孔４１、５１に螺合させて螺止めし、支柱１０に上枠２および下枠３を取り付ける。
【００５１】
【発明の効果】
以上に説明したとおり、本発明のフェンスは、フェンスパネルを上下から挟持する上枠と下枠を備え、上枠の支柱に接する側に長手方向に沿って上取付溝を形成し、上枠は、その上取付溝にスライド可能に挿入した上取付金具を介して支柱に固定され、一方下枠は、支柱に取り付けた下取付金具と係合されることによって支柱に固定されるので、上枠に挿入した上取付金具を任意の位置にスライドさせて上枠を支柱に取り付けるとともに、支柱に取り付けた下取付金具を下枠の任意の位置に係合して下枠を支柱に取り付けることができる。
【００５２】
したがって、枠を支柱に取り付ける作業が簡単で、またフェンスパネルの横方向のいかなる位置に支柱が存する場合であっても、フェンスパネルを取り付けることができ、施工誤差を吸収しやすくなる。また、上枠の上取付溝内に上取付金具が収容されるので、上取付金具が外部に露出することがなく、美観に優れている。下取付金具についても、下枠によって外観上遮られるので外部に露出する部分を無くすことができる。さらに、枠とフェンスパネルとは一体構造ではないので、フェンスパネルのサイズの調整は、現場でパネルを切断することにより、容易に行うことができる。また、フェンスパネルは上下の枠に挟持しているので、フェンスパネルの付け替えも容易である。
【図面の簡単な説明】
【図１】本発明の第１の実施の形態における枠と取付金具を示し、（ａ）は上枠と上取付金具、（ｂ）は下枠と下取付金具を示す図である。
【図２】本発明の第１の実施の形態における枠を示し、（ａ）は上枠、（ｂ）は下枠を示す図である。
【図３】本発明の第１の実施の形態における施工例を示す縦断面図である。
【図４】本発明の第１の実施の形態における取付金具を示し、（ａ）は上取付金具の平面図、（ｂ）は上取付金具の正面図、（ｃ）は下取付金具の平面図、（ｄ）は下取付金具の側面図である。
【図５】本発明の第２の実施の形態における上取付金具を示す図である。
【図６】本発明の第２の実施の形態における上取付金具を示す図である。
【図７】本発明の第２の実施の形態における上取付金具を示す図である。
【図８】本発明の第３の実施の形態における枠を示し、（ａ）は上枠、（ｂ）は下枠を示す図である。
【図９】本発明の第３の実施の形態においてメッシュ状のフェンスパネルを取り付けた例を示す縦断面図である。
【図１０】本発明の第１の実施の形態と第３の実施の形態における施工例を示す図である。
【図１１】本発明の第４の実施の形態における枠と取付金具を示し、（ａ）は上枠と上取付金具、（ｂ）は下枠と下取付金具を示す図である。
【図１２】フェンスパネルを接続するキャップを示す図である。
【図１３】従来のフェンスを示す図である。
【符号の説明】
１０    支柱
２      上枠
２０    上取付溝
３      下枠
３０    下取付溝
４      上取付金具
４０    突起
５      下取付金具
Ａ，Ｂ，Ｃ    フェンスパネル
【図１】
0004112823.tif 000002
【図２】
0004112823.tif 000003
【図３】
0004112823.tif 000004
【図４】
0004112823.tif 000005
【図５】
0004112823.tif 000006
【図６】
0004112823.tif 000007
【図７】
0004112823.tif 000008
【図８】
0004112823.tif 000009
【図９】
0004112823.tif 000010
【図１０】
0004112823.tif 000011
【図１１】
0004112823.tif 000012
【図１２】
0004112823.tif 000013
【図１３】
0004112823.tif 000014